(57)【要約】【課題】重心深度を深くすることが可能となるパター用ゴルフクラブヘッドおよび該ヘッドを備えたパター用ゴルフクラブを提供する。【解決手段】パター用ゴルフクラブヘッド１は、フェース部５とバック部６とを有しステンレス鋼などの金属を主体とする素材で構成されるヘッド本体２と、該ヘッド本体２に取付けられフェース部５からバック部６に向かって延在する樹脂部３と、樹脂部３を介してヘッド本体２に取付けられたウェイト部４とを備える。ウェイト部４は、ヘッド本体２と一体的に形成されてもよいが、ヘッド本体２とは別部材で構成されてもよい。【選択図】        図１
2004290565.tif 000002
【特許請求の範囲】
【請求項１】
フェース部（５）とバック部（６）とを有し、金属を主体とする素材で構成されるヘッド本体（２）と、
前記ヘッド本体（２）に取付けられ、前記フェース部（５）から前記バック部（６）に向かって延在する樹脂部（３）と、
前記樹脂部（３）を介して前記ヘッド本体（２）に取付けられたウェイト部（４）と、
を備えたパター用ゴルフクラブヘッド。
【請求項２】
フェース部（５）と、バック部（６）と、前記フェース部（５）と前記バック部（６）との間に空間部（７）を有し、金属を主体とする素材で構成されるヘッド本体（２）と、
前記空間部（７）上を前記フェース部（５）から前記バック部（６）に向かって延在する樹脂部（３）と、
を備えたパター用ゴルフクラブヘッド。
【請求項３】
フェース面を含むフェース部（５）と、バック部（６）とを有し、金属を主体とする素材で構成されるヘッド本体（２）と、
前記フェース面以外の前記ヘッド本体（２）の部位上に延在する樹脂部（３）とを備え、
前記ヘッド本体（２）の重心位置を、前記樹脂部（３）の重心位置よりもバック部（６）側に配置した、パター用ゴルフクラブヘッド。
【請求項４】
前記樹脂部（３）の体積は、ヘッド全体の体積に対して２５％以上９５％以下である、請求項１から請求項３のいずれかに記載のパター用ゴルフクラブヘッド。
【請求項５】
前記樹脂部（３）の比重は０．５以上１．５以下であり、前記ヘッド本体（２）を構成する金属の比重は７以上１５以下である、請求項１から請求項４のいずれかに記載のパター用ゴルフクラブヘッド。
【請求項６】
トウ部（１５）とヒール部（１６）とをさらに備え、
前記トウ部（１５）から前記ヒール部（１６）に向かう方向のヘッド全体の長さであるヘッド長（Ｌ）で、前記フェース部（５）から前記バック部（６）に向かう方向のヘッド全体の幅であるヘッド幅（Ｗ）を除した値が、０．７以上１．０未満である、請求項１から請求項５のいずれかに記載のパター用ゴルフクラブヘッド。
【請求項７】
前記樹脂部（３）は、繊維強化材を含む樹脂からなる、請求項１から請求項６のいずれかに記載のパター用ゴルフクラブヘッド。
【請求項８】
前記フェース部（５）に樹脂パーツ（８）を装着した、請求項１から請求項７のいずれかに記載のパター用ゴルフクラブヘッド。
【請求項９】
請求項１から請求項８のいすれかに記載のパター用ゴルフクラブヘッドを備えたパター用ゴルフクラブ。
【発明の詳細な説明】
【０００１】
【発明の属する技術分野】
本発明はパター用ゴルフクラブヘッドおよびパター用ゴルフクラブに関し、特に重心深度を深くでき慣性特性を改善することが可能となるパター用ゴルフクラブヘッドおよび該ヘッドを備えたパター用ゴルフクラブに関する。
【０００２】
【従来の技術】
従来からパター用ゴルフクラブヘッドの素材としては、軟鉄やステンレスなどの単一金属材料が主流を占めてきた。
【０００３】
ところが、最近になって、ヘッド本体をアルミニウム合金とし、銅をソールに圧入するなどして接合したものや、本体ステンレスにタングステン合金を圧入するなどして接合したパター用ゴルフクラブヘッドが登場している。いずれも、目的は、重心位置をコントロールしたり、ヘッド体積を増大して慣性モーメントを大きくするなど慣性特性を変動させるためである。
【０００４】
また、特開平１１−１０４２７９号公報には、第一の密度を有する第一の材料で形成されたヒールと、第二の密度を有する第二の材料で形成されたトウと、第一および第二の密度未満の密度を有する第三の材料で形成された中央部分とを含み、ヒール、トウおよび中央部分は一体に連結されている、３個の個別の部分からなるゴルフクラブヘッドが開示されている。
【０００５】
他方、特開平９−１６４２３０号公報には、ヘッド本体を硬質材料から形成し、このヘッド本体のフェース面中少なくともスイートエリア相当個所にショアＤ硬度８０以下の弾性材料から形成された打球部材を設けたパターヘッドが開示されている。
【０００６】
また、特開平１０−２１６２７９号公報には、ゴルフボールが直接に打撃されるフェース面の一部ないし全体を、高分子材料から成るフェースプレートにて形成し、かつ、該フェースプレートのショアＡ硬度が３０〜８０の範囲に設定されたパター型ゴルフクラブヘッドが開示されている。
【０００７】
【非特許文献１】
１９９６年版ゴルフ用品総合カタログ  発行  株式会社ユニバーサルゴルフ  平成８年３月１日発行  ｐ．２７２  商品名「ＴＨＥ  ＦＡＴ  ＬＡＤＹ」
【０００８】
【非特許文献２】
２００３年版ゴルフ用品総合カタログ  発行  株式会社ユニバーサルゴルフ  平成１５年３月１日発行  ｐ．１８３  商品名「ゼクシオパター」
【０００９】
【特許文献１】
特開平９−１６４２３０号公報
【００１０】
【特許文献２】
特開平１０−２１６２７９号公報
【００１１】
【特許文献３】
特開平１１−１０４２７９号公報
【００１２】
【発明が解決しようとする課題】
しかし、アルミニウム合金のヘッド本体のソールに銅を圧入したものや、本体ステンレスにタングステン合金を圧入するなどして接合したヘッドでは、アルミニウム合金の比重が２．８に対して銅の比重が８．９、ステンレスの比重が７．８に対してタングステン合金の比重が１４程度であり、銅にしてもタングステン合金にしてもヘッド本体との比重差が比較的少ないため、重心深度を大幅に深くすることは困難である。
【００１３】
また、ヘッドの慣性特性を改善するために、特開平１１−１０４２７９号公報ではヘッドの中央部分の素材の密度をヒールおよびトウの素材の密度よりも小さくしているが、この場合も重心深度を深くすることは困難である。
【００１４】
その一方で、パターには打感に対しての要求品質も高く、上記の特開平９−１６４２３０号公報や特開平１０−２１６２７９号公報に記載のように、従来の本体金属と同一の打球部を有するパターの打感の硬さを改善するために、フェース面の打球部に樹脂からなる材料を用いたパターが数多く見られるようになってきている。
【００１５】
しかし、打感は改善したとしても、フェース面の打球部だけに樹脂材料を設置しただけでは、樹脂材料の厚さがせいぜい厚くても５ｍｍ以下の場合がほとんどであり、重心深度を深くすることは困難である。
【００１６】
重心深度を深くしたパター用ゴルフクラブは、振りやすさの面でゴルファーに対する影響が大きく、安定したストロークが可能になる点や、重心深度を深くすると結果的にヘッドの重心まわりの慣性モーメントを大きくできるという利点があるので、パター用ゴルフクラブにおいて重心深度を深くすることが望まれる。
【００１７】
そこで、本発明は、重心深度を深くすることが可能となるパター用ゴルフクラブヘッドおよび該ヘッドを備えたパター用ゴルフクラブを提供することを目的とする。
【００１８】
【課題を解決するための手段】
本発明に係るパター用ゴルフクラブヘッドは、１つの局面では、フェース部とバック部とを有し、金属を主体とする素材で構成されるヘッド本体と、ヘッド本体に取付けられフェース部からバック部に向かって延在する樹脂部と、樹脂部を介してヘッド本体に取付けられたウェイト部とを備える。
【００１９】
このようにフェース部からバック部に向かって延在する樹脂部を介してヘッド本体にウェイト部を取付けることにより、比重の小さい樹脂部を介して比重の大きいウェイト部をバック部に配置することができる。それにより、ヘッドの重心深度を深くすることができる。ここで、ヘッドの重心深度とは、ヘッドの重心からフェイス面に引いた垂線における重心からフェイス面までの距離である。
【００２０】
本発明に係るパター用ゴルフクラブヘッドは、他の局面では、フェース部と、バック部と、フェース部とバック部との間に空間部とを有し、金属を主体とする素材で構成されるヘッド本体と、空間部上をフェース部からバック部に向かって延在する樹脂部とを備える。
【００２１】
このようにヘッド本体のフェース部とバック部との間に空間部を設けた場合には、該空間部に相当するヘッド本体の質量をバック部側に配置することができ、ヘッドの重心深度を深くすることができる。
【００２２】
本発明に係るパター用ゴルフクラブヘッドは、さらに他の局面では、フェース面を含むフェース部とバック部とを有し金属を主体とする素材で構成されるヘッド本体と、フェース面以外のヘッド本体の部位上に延在する樹脂部とを備え、ヘッド本体の重心位置を、樹脂部の重心位置よりもバック部側に配置している。
【００２３】
本局面のように相対的に比重の大きい金属を主体とする素材で構成されるヘッド本体の重心位置を、相対的に比重の小さい樹脂部の重心位置よりもバック部側に配置した場合も、ヘッドの重心深度を深くすることができる。
【００２４】
樹脂部の体積は、好ましくは、ヘッド全体の体積に対して２５％以上９５％以下程度である。また、樹脂部を構成する樹脂の比重は、０．５以上１．５以下程度であり、ヘッド本体を構成する金属の比重は７以上１５以下程度であることが好ましい。
【００２５】
パター用ゴルフクラブヘッドは、トウ部とヒール部とをさらに備え、トウ部からヒール部に向かう方向のヘッド全体の長さであるヘッド長で、フェース部からバック部に向かう方向のヘッド全体の幅であるヘッド幅を除した値が、０．７以上１．０未満程度であることが好ましい。
【００２６】
上記樹脂部は、繊維強化材を含む樹脂からなることが好ましく、また、フェース部に、上記樹脂部とは別に樹脂パーツを装着することが好ましい。
【００２７】
本発明に係るパター用ゴルフクラブは、上述のパター用ゴルフクラブヘッドを備える。したがって、慣性特性の優れたパター用ゴルフクラブが得られる。
【００２８】
【発明の実施の形態】
以下、本発明の実施の形態におけるパター用ゴルフクラブヘッドおよびパター用ゴルフクラブについて説明する。
【００２９】
本実施の形態におけるパター用ゴルフクラブは、後述するパター用ゴルフクラブヘッド、シャフトおよびグリップを備える。パター用ゴルフクラブヘッドは、ヘッド本体と、該ヘッド本体に取付けられた樹脂部と、ウェイト部とを備える。シャフトおよびグリップとしては周知のものを採用可能である。
【００３０】
ヘッド本体は、たとえばステンレス、鉄、軟鉄、鉄合金、銅合金、真鍮等の金属を主体とする材質で構成され、フェース面（打球面）を有するフェース部と、フェース部の後方側に位置するバック部と、トウ部と、ヒール部とを有する。
【００３１】
フェース部は、金属のみで構成してもよいが、樹脂などの金属以外の素材と金属との複合素材で構成してもよい。たとえば、フェース部の中央部に樹脂パーツを嵌め込み、フェース面の中央部を樹脂で構成することが考えられる。
【００３２】
このように打球部に比重の小さい樹脂を使用することも、ヘッドの重心深度を深くすることに寄与し得る。フェース部における樹脂の割合が多ければ、多いほど重心深度を深くする効果は高まる。また、フェース面において実際に打球することが予定されている箇所に樹脂パーツを装着することにより、打感をソフトなものに改善することもできる。
【００３３】
樹脂パーツをフェース面に装着する場合、フェース面に装着する樹脂パーツを曲げ弾性率の低い材料で構成することが好ましい。たとえば、フェース面以外のヘッド本体の部位上を延在する樹脂部よりも曲げ弾性率の低い材料、つまり軟らかい樹脂材料で構成することが考えられる。この場合には、打感をさらにソフトなものとすることができる。
【００３４】
上記のヘッド本体は、好ましくは、フェース部とバック部との間に空間部を有する。たとえば、ヘッド本体においてフェース部とバック部との間に位置する部分に凹部や貫通孔などを設けることが考えられる。
【００３５】
該凹部や貫通孔はヘッド本体の中央部に設けることが好ましい。それにより、比較的ヘッドの重心位置に近い部分から質量を取り除き、それ以外の部分に配置することができる。この凹部や貫通孔は、ヘッド本体の上面と底面（ソール面）の少なくとも一方の中央部に開口部を有することが好ましいが、ヘッド本体の側面に開口部を有するものであってもよい。
【００３６】
このようにヘッド本体に空間部を設けることにより、たとえば該空間部に相当するヘッド本体の質量をヘッド本体のバック部側に配置することができる。つまり、ヘッド本体のバック部側に質量を配置することができる。それにより、ヘッドの重心深度を深くする（ヘッドの重心位置をバック部側にシフトさせる）ことができる。その結果、ヘッドの重心まわりの慣性モーメントを大きくすることができ、ゴルフクラブヘッドの慣性特性を改善することができる。
【００３７】
樹脂部は、フェース面以外のヘッド本体の部位上に延在するようにヘッド本体に取付けられ、典型的にはフェース部あるいはその近傍からバック部に向かって延在する。該樹脂部の取付方法としては、たとえば両面テープによる固定、ビス止め、スナップイン固定、接着剤による固定あるいはこれらを２つ以上併用する方法などが考えられる。
【００３８】
パター用ゴルフクラブヘッドの基本的な要求特性として壊れないことが挙げられることから、樹脂部は、強度特性および耐摩耗特性に優れる必要がある。しかし、金属と比較して樹脂は強度特性も耐摩耗特性も一般に悪いので、繊維を含有させ強化を図ることが好ましい。たとえば、上記の樹脂部を、繊維強化材を含む樹脂で構成する。それにより、樹脂部の強度特性や耐摩耗特性を改善することができる。
【００３９】
樹脂部として使用可能な樹脂には様々な種類のものがあるが、たとえばポリスチレン系樹脂、ポリエステル系樹脂、ポリウレタン系樹脂、ポリアミド系樹脂、ポリオレフィン系樹脂、塩化ビニル系樹脂、フッ素系樹脂、シリコン系樹脂や、それらのエラストマーが挙げられる。強化材としては、カーボン繊維、ガラス繊維などが一般的である。
【００４０】
樹脂部は、ヘッド本体に上記のような空間部を設けた場合には、該空間部上をフェース部からバック部に向かって延在する。この樹脂部で空間部を覆うことにより、ヘッドの美観を向上することができる。
【００４１】
また、上記の空間部を樹脂部で覆った場合には、アドレス時にヘッド本体の空間部がプレイヤーの視界に入ってプレーに集中できないといった事態を回避することもできる。ここで、「アドレス」とは、ゴルフボールを打つため、ゴルフクラブをボールに接触させないでボールの後側にセットする構えのことである。
【００４２】
さらに、ヘッド本体に空間部を設け、かつ樹脂部の比重を小さくすることにより、パター用ゴルフクラブヘッドのサイズを大きくすることが可能となる。したがって、見た目の大きさ（＝投影面積）を確保することができ、ゴルファーの心理に良好な影響を与えることも期待できる。
【００４３】
ヘッド本体の重心位置は、樹脂部の重心位置よりもバック部側に配置することが好ましい。ヘッド本体は樹脂部よりも重い（比重が大きい）材質で主として構成されるので、ヘッド本体と樹脂部の重心位置の関係を上記の関係とすることにより、ヘッドの重心深度を深くすることができ、ヘッドの重心まわりの慣性モーメントを大きくすることができる。
【００４４】
上記の樹脂部の体積（総体積）は、好ましくは、ヘッド全体の体積に対して２５％以上９５％以下程度である。このように樹脂部の総体積をヘッド全体の体積の２５％以上９５％以下程度と比較的多くしたのは、次のような理由による。
【００４５】
パター用ゴルフクラブヘッドの質量を３４０ｇとし、樹脂部の総体積がヘッド全体の体積の２５％である場合には、樹脂部の比重を１とすると、樹脂部の質量は１４ｇとなる。ここで、ヘッドの残りの部分を比重７．８の金属部材で構成すると、金属部材の質量は３２６ｇとなる。よって、樹脂部の総体積がヘッド全体の体積の２５％未満の場合には、ほとんど金属部材だけでヘッドの重心位置が決定され、ヘッドの重心深度を深くすることが極めて困難となる。
【００４６】
他方、樹脂部の総体積をヘッド全体の体積の９５％とするには、樹脂部の体積が２４１ｃｍ３となる。よって、樹脂部の総体積がヘッド全体の体積の９５％より大きい場合には、樹脂部が極端に巨大となり、通常のパター形状から逸脱してしまう。
【００４７】
以上より、樹脂部の総体積をヘッド全体の体積の２５％以上９５％以下程度とすることにより、パター用ゴルフクラブヘッドの形状を通常の形状から逸脱しない形状に維持しながらヘッドの慣性特性の変動を大きくすることができる。なお、上記の樹脂部および金属部材の体積は、次の数式（１），（２）を用いて算出可能である。
【００４８】
（１×ｘ）＋（７．８×ｙ）＝３４０…（１）
ｘ／（ｘ＋ｙ）＝ｚ                …（２）
ここで、数式（１），（２）において、ｘは樹脂部の総体積、ｙは金属部材の体積、ｚは樹脂部の割合（たとえば０．２５や０．９５）である。
【００４９】
樹脂部を構成する樹脂の比重は、０．５以上１．５以下程度であり、ヘッド本体の金属部を構成する金属の比重は７以上１５以下程度であることが好ましい。つまり、樹脂部を構成する樹脂の比重を相対的に小さくして樹脂部を軽くし、ヘッド本体を構成する金属の比重を相対的に大きくして重くする。それにより、ヘッドの重心位置の調節が容易となる。
【００５０】
上記のように樹脂部およびヘッド本体の比重を規定したのは、次のような理由による。
【００５１】
比重が０．５未満の樹脂材料は本願の出願時点においてはほとんど市場に存在せず、樹脂部の比重が１．５より大きいと上記の重心位置の調節の際に悪影響を及ぼすことが懸念される。また、樹脂部の比重を１．５より大きくするためには樹脂に金属粉末を含有させるなどして比重を大きくする必要も生じる。
【００５２】
比重が７未満の金属部材としては、たとえばマグネシウム、アルミニウム、チタンなどが存在するが、このように軽い金属部材を使用すると、上記の重心位置の調節の際に大幅に重心位置を変化させることが困難となることが懸念される。他方、比重が１５よりも大きい金属部材としては本願の出願時点においては純タングステン、純タンタルぐらいしか存在せず、加工性の悪さや高コストのためにこれらの素材を実際に使用することは困難である。
【００５３】
ウェイト部は、上記のようにヘッド本体と一体的に設けてもよいが、別部材をヘッド本体に取付けて設けてもよい。ウェイト部をヘッド本体と一体的に設けるには、たとえばヘッド本体のバック部側に積極的に隆起部のような凸状部分を設けたり、フェース部とバック部間に位置するヘッド本体に上記のような空間部を設けることで結果的にヘッド本体のバック部側を凸状にすることが考えられる。
【００５４】
また、ウェイト部をヘッド本体と別部材で構成する場合、たとえばタングステン合金やベリリウムニッケルなどの高比重の金属を、ヘッド本体のバック部側に取付けることが考えられる。該ウェイト部の取付方法としては、たとえば、上記の樹脂部を介してヘッド本体に取付けることが考えられる。
【００５５】
このようにヘッド本体のバック部側にウェイト部を配置することにより、フェース部から離れた位置にウェイト部を配置することができ、ヘッドの重心深度を深くすることができる。特に、樹脂部を介してウェイト部をヘッド本体に取付けることにより、フェース部から離れた所望の位置にヘッド本体よりも高比重の重錘部材を容易に配置することができ、ヘッドの重心深度をより深くすることができる。
【００５６】
本実施の形態におけるパター用ゴルフクラブヘッドにおいて、トウ部からヒール部に向かうトウ・ヒール方向のヘッド全体の長さであるヘッド長で、フェース部からバック部に向かうフェース・バック方向のヘッド全体の幅であるヘッド幅を除した値が、０．７以上１．０未満程度であることが好ましい。このようにパター用ゴルフクラブヘッドにおいてヘッド幅を比較的大きくすることで、フェース部から離れた位置にウェイト部を配置することができ、重心深度を深くすることができる。
【００５７】
上記のヘッド長とヘッド幅はルールブックでいうものと同一であり、クラブヘッドを通常のアドレスポジションをとって置き、その垂直投影面の（ｉ）ヒールとトウ、（ｉｉ）フェースと背面のそれぞれの両先端間の間隔を水平に測って求める。ヒールの最後端を明確に判定しにくい場合は、クラブを通常のアドレスポジションをとって置いた水平面から１６ｍｍ（０．６２５インチ）上方の所をヒールの最後端とみなす。
【００５８】
一般に、キャッシュイン型やピン型やＬ字型と呼ばれるものは、ヘッド長とヘッド幅との上記の比の値が小さく、マレット型と呼ばれるものには、該比の値が０．７以上１．０未満の範囲内に入るものが見られる。なお、この比の値が０．７未満では重心深度を大幅に深くしたい場合に支障を来たすことが懸念され、該比の値を１．０未満としたのはルールに適合するためである。
【００５９】
【実施例】
以下、本発明の実施例について図１〜図８を用いて説明する。
【００６０】
（実施例１）
図１〜図３に、本発明の実施例１におけるパター用ゴルフクラブヘッド１を示し、図４（ａ），（ｂ）に、本実施例１におけるパター用ゴルフクラブヘッド１の分解斜視図を示す。
【００６１】
本実施例１におけるパター用ゴルフクラブは、図１に示すパター用ゴルフクラブヘッド１と、シャフトおよびグリップとを備える。シャフトおよびグリップとしては周知のものを採用する。
【００６２】
図１〜図３に示すように、パター用ゴルフクラブヘッド１は、３４０ｇの質量を有し、ヘッド本体２と、樹脂部３と、ウェイト部４とを備える。ヘッド本体２は、主にステンレス製であり、フェース部５、バック部６、空間部７、トウ部１５およびヒール部１６を有する。
【００６３】
図４（ａ），（ｂ）に示すように、フェース部５の中央部には、７．３ｃｍ３の体積のポリアミドエラストマー製のフェースパーツ８を嵌め込む。該フェースパーツ８は、接着剤などを用いてヘッド本体２に固着され、フェース部５の一部を構成する。
【００６４】
ヘッド本体２のステンレス部分は、略コの字形状を有し、該ステンレス部分の体積は３３．５ｃｍ３である。このステンレス部分は、図４（ａ），（ｂ）に示すように、ヘッド本体２においてフェース部５の背面側に位置する部分からバック部６側に延びる１組の突出部を有する。該突出部は、それぞれヘッド本体２のトウ部１５近傍とヒール部１６近傍から後方側に突出する。
【００６５】
空間部７は、フェース部５の背面側に位置する部分からバック部６にまで達し、かつヘッド本体２のフェース・バック方向の中央部を上下方向に貫通するようにヘッド本体２の上面から底面（ソール面）に達するように設けられる。図４（ａ），（ｂ）に示すように、該空間部７の両側を上記の突出部が延在する。
【００６６】
図２に示すように、上記の空間部７を覆うように樹脂部３を設ける。樹脂部３は、ポリアミドエラストマー製であり、ビスを用いてヘッド本体２に固定される。該樹脂部３の体積は１０．７ｃｍ３である。図２の例では、樹脂部３は、略Ｔ字形状を有し、ヘッド本体２のフェース部５からバック部６に達するようにヘッド本体２に取付けられる。
【００６７】
樹脂部３においてヘッド本体２のバック部６近傍に位置する後端部に凹部を設け、該凹部内に、図１に示すように、ウェイト部４を装着する。該ウェイト部４はタングステン合金製であり、ウェイト部４の体積は７．６ｃｍ３である。このウェイト部４は、ビスを用いて樹脂部３の後端部に固定される。
【００６８】
本実施例１では、図２に示すヘッド長Ｌは９６ｍｍであり、ヘッド幅Ｗは７０ｍｍであり、ヘッド幅Ｗをヘッド長Ｌで除した値は０．７３である。また、ヘッド本体２のステンレス部分の重心は、樹脂部３の重心よりも５ｍｍバック部６寄りに位置する。
【００６９】
本願の発明者らが、本実施例１のパター用ゴルフクラブヘッド１の重心深度を算出したところ、重心深度は、２０．５ｍｍであった。
【００７０】
ここで、重心深度を深くすることができることによる利点について、図６〜図８を用いて説明する。
【００７１】
まず、図６を用いて、重心深度とパター用ゴルフクラブのスイングし易さとの関係について説明する。
【００７２】
図６に示すように、パター用ゴルフクラブのグリップを通る鉛直線から反時計回りに３０度傾けた位置からグリップを中心としてパター用ゴルフクラブ１０を振り子式に回動させた場合、重心深度が３０ｍｍのヘッドを有するパター用ゴルフクラブ１０では、パター用ゴルフクラブ１０のスイング速度が最大となるポイントは、上記の鉛直線からフェースが３０ｍｍ前方に位置するポイントとなる。また、スイング速度の最大値は、１．６０ｍ／ｓとなる。
【００７３】
それに対し、重心深度が１０ｍｍのヘッドを有するパター用ゴルフクラブ１０では、パター用ゴルフクラブ１０のスイング速度が最大となるポイントは、上記の鉛直線からフェースが１０ｍｍ前方に位置するポイントとなる。また、スイング速度の最大値は、１．５４ｍ／ｓとなる。
【００７４】
上記のように重心深度が深い場合には、鉛直線に対し、より前方側でスイング速度が最大となることに加え、スイング速度自体も速くなるので、フォローを出しやすいスイングとなると言える。それに対し、重心深度が浅い場合には、いわゆるヒッティングし易いスイング傾向となる。
【００７５】
したがって、重心深度が深いパター用ゴルフクラブヘッドでは、同じ振り幅のバックスイングでも、実際は重くて安定感があり、フォローを出しやすいスイングを行える。
【００７６】
次に、重心深度とボールの転がり量との関係について検討すべく、振り子式パターロボット（開始角度３０°）を用いてボールの転がり量に関するテストを行なったので、その結果について説明する。
【００７７】
図８に、上記のテストで使用した振り子式パターロボットの概略構成を示す。図８に示すように、振り子式パターロボットは、複数本の支柱１１と、ライ角調整ネジ１２と、振り子角度表示板１３と、振り子支点１４と、アーム１７とを備える。
【００７８】
アーム１７は、振り子支点１４の周りに回動可能であり、パター用ゴルフクラブ１０を保持する。また、今回のテストでは、パター用ゴルフクラブ１０のヘッドのソール面から振り子支点１４の中心までの高さＨを１２９５ｍｍとし、ライ角を７２°、振り子角度を３０°とした。
【００７９】
テストに際しては、まず鉛を装着することで重心深度を変更した２種類のヘッドをそれぞれ備えたパター用ゴルフクラブ１０を準備した。具体的には、重心深度１７ｍｍのヘッドを有するパター用ゴルフクラブ１０と、重心深度１０ｍｍのヘッドを有するパター用ゴルフクラブ１０とを準備した。
【００８０】
そして、一方のパター用ゴルフクラブ１０をアーム１７に固定し、振り子支点１４を中心として図８に示す初期位置から時計回りに３０°回動した後、その状態からパター用ゴルフクラブ１０を開放して反時計回りに回動させ、ボールを打球し、スイートスポットで打球した場合と、スイートスポットの下６ｍｍの位置で打球した場合の双方について、ボールの転がり量を測定した。残りのパター用ゴルフクラブ１０についても同様の条件でテストを行った。
【００８１】
なお、今回のテストにおけるインパクト時のヘッドスピードは１．５ｍ／ｓ程度であり、グリップ部を固定したままテストを行った。また、各テストでは５球ずつボールを打球し、転がり量は１１から１２ｍの範囲内であった。
【００８２】
図７に、上記の振り子式パターロボットによるテスト結果を示す。図７では、各テストでのボールの転がり量の平均値を示している。
【００８３】
図７に示すように、スイートスポットで打球した場合でも、スイートスポットの下６ｍｍの位置で打球した場合でも、重心深度の深いヘッドを有するパター用ゴルフクラブ１０の方が転がり量が大きいことがわかる。また、重心深度の深いヘッドを有するパター用ゴルフクラブ１０の場合、スイートスポットで打球した場合とスイートスポットを外して打球した場合とで、転がり量の差が小さいこをがわかる。
【００８４】
以上より、ヘッドの重心深度を深くすることで、ボールの転がりが良くなり、打点が上下にズレたときでも転がり量の変動が少なくなるという効果が得られる。
【００８５】
上述のように、本実施例１におけるパター用ゴルフクラブヘッド１では、重心深度を２０．５ｍｍと深くすることができるので、該ヘッドを備えたパター用ゴルフクラブで打球した際に、スイングが安定し、フォローを出しやすくなり、さらにはボールの転がりも良くなる。
【００８６】
（実施例２）
次に、本発明の実施例２について図５（ａ），（ｂ）を用いて説明する。図５（ａ），（ｂ）に示すように、本実施例２では、ヘッド本体２のバック部６側に該ヘッド本体２と一体的にウェイト部４を設ける。したがって、ウェイト部４は、ヘッド本体２の素材と同一の素材で構成される。
【００８７】
ヘッド本体２は、全体として環状の構造を有し、フェース部５の背面側に位置する部分からバック部６側に延びる１組の突出部と、該突出部の先端を接続するように設けられたウェイト部４とを有する。そして、ヘッド本体２においてフェース部５側に位置する部分と、１組の突出部と、ウェイト部４とで、ヘッド本体２の中央部に貫通孔で構成される空間部７が規定される。
【００８８】
フェース部５の中央部には、実施例１と同様に、７．３ｃｍ３の体積のポリアミドエラストマー製のフェースパーツ８を嵌め込む。該フェースパーツ８は、接着剤などを用いてヘッド本体２に固着され、フェース部５の一部を構成する。なお、ヘッド本体２のステンレス部分の体積は４２．８ｃｍ３である。
【００８９】
樹脂部３は、ポリアミドエラストマー製であり、ビスなどを用いてヘッド本体２に固定される。該樹脂部３の体積は５．７ｃｍ３である。樹脂部３は、図２に示すような略Ｔ字形状を有し、ヘッド本体２のフェース部５からウェイト部４に達するように設けられ、ウェイト部４を覆う。
【００９０】
上記以外の構成については、実施例１の場合と基本的に同様である。本実施例２でも、パター用ゴルフクラブヘッド１の重心深度を２０．５ｍｍと深くすることができるので、実施例１の場合と同様の効果を期待できる。
【００９１】
なお、本実施例２では、図２に示すヘッド長Ｌは９６ｍｍであり、ヘッド幅Ｗは７０ｍｍであり、ヘッド幅Ｗをヘッド長Ｌで除した値は０．７３である。また、ヘッド本体２のステンレス部分の重心は、樹脂部３の重心よりも７ｍｍバック部６寄りに位置する。
【００９２】
以上のように本発明の実施の形態および実施例について説明を行なったが、今回開示した実施の形態および実施例は全ての点で例示であって制限的なものではないと考えられるべきである。本発明の範囲は特許請求の範囲によって示され、特許請求の範囲と均等の意味および範囲内での全ての変更が含まれる。
【００９３】
【発明の効果】
本発明によれば、パター用ゴルフクラブヘッドの重心深度を深くすることができるので、該ヘッドの重心まわりの慣性モーメントを大きくすることができ、ゴルフクラブヘッドの慣性特性を改善することができる。
【図面の簡単な説明】
【図１】本発明の実施例１におけるパター用ゴルフクラブヘッドを示す斜視図である。
【図２】本発明の実施例１におけるパター用ゴルフクラブヘッドの平面図である。
【図３】本発明の実施例１におけるパター用ゴルフクラブヘッドの側面図である。
【図４】（ａ），（ｂ）は本発明の本実施例１におけるパター用ゴルフクラブヘッドの分解斜視図である。
【図５】（ａ），（ｂ）は本発明の実施例２におけるパター用ゴルフクラブヘッドの分解斜視図である。
【図６】重心深度とスイングとの関係を説明するための模式図である。
【図７】振り子式パターロボットによるボールの転がり量のテスト結果を示す図である。
【図８】ボールの転がり量のテストに用いた振り子式パターロボットの概略構成図である。
【符号の説明】
１  パター用ゴルフクラブヘッド、２  ヘッド本体、３  樹脂部、４  ウェイト部、５  フェース部、６  バック部、７  空間部、８  樹脂パーツ、１０  パター用ゴルフクラブ、１１  支柱、１２  ライ角調整ネジ、１３  振り子角度表示板、１４  振り子支点、１５  トウ部、１６  ヒール部、１７  アーム。
【図１】
2004290565.tif 000003
【図２】
2004290565.tif 000004
【図３】
2004290565.tif 000005
【図４】
2004290565.tif 000006
【図５】
2004290565.tif 000007
【図６】
2004290565.tif 000008
【図７】
2004290565.tif 000009
【図８】
2004290565.tif 000010